(57)【要約】【課題】長期間にわたって時計の外観を高級感に溢れ、優れたものとすることができる時計用部材、時計用文字板を提供すること、また、長期間にわたって高級感に溢れた優れた美的外観を呈することができる時計を提供すること。【解決手段】本発明の時計用部材２は、複数の層２１１が平行に積層された構成を有し、層２１１の面内の所定の方向Ｘについての屈折率が互いに異なる複数の層２１１を含む偏光板２１を備え、偏光板２１の少なくとも一方の面側には、複数の層２１１にまたがって形成された溝２１２が設けられていることを特徴とする。【選択図】図１
2010210343.tif 000002
【特許請求の範囲】
【請求項１】
複数の層が平行に積層された構成を有し、前記層の面内の所定の方向Ｘについての屈折率が互いに異なる複数の前記層を含む偏光板を備え、
前記偏光板の少なくとも一方の面側には、複数の前記層にまたがって形成された溝が設けられていることを特徴とする時計用部材。
【請求項２】
前記方向Ｘについての屈折率が互いに異なる前記複数の層は、前記偏光板の法線方向および前記Ｘに垂直な方向に対して垂直な方向Ｙについての光の屈折率が同一である請求項１に記載の時計用部材。
【請求項３】
前記偏光板は、６〜４０層の積層体である請求項１または２に記載の時計用部材。
【請求項４】
時計用部材の平均厚さは、３０〜３００μｍである請求項１ないし３のいずれかに記載の時計用部材。
【請求項５】
前記溝の深さは、４〜２５μｍである請求項１ないし４のいずれかに記載の時計用部材。
【請求項６】
前記溝は、規則的に配されたものであり、その平均ピッチが１０〜２８μｍである請求項１ないし５のいずれかに記載の時計用部材。
【請求項７】
請求項１ないし６のいずれかに記載の時計用部材を備えたことを特徴とする時計用文字板。
【請求項８】
時計用文字板は、前記時計用部材に加え、前記時計用部材よりも観察者側に配される文字板本体を備えるものである請求項７に記載の時計用文字板。
【請求項９】
前記文字板本体は、少なくとも一方の面側に、顔料を含む材料で構成された顔料着色膜を有するものである請求項８に記載の時計用文字板。
【請求項１０】
請求項１ないし６のいずれかに記載の時計用部材を備えたことを特徴とする時計。
【請求項１１】
時計は、前記時計用部材に加え、太陽電池を備えるものであって、
前記太陽電池は、前記時計用部材の背面側に配されたものである請求項１０に記載の時計。
【請求項１２】
請求項７ないし９のいずれかに記載の時計用文字板を備えたことを特徴とする時計。
【請求項１３】
時計は、前記時計用部材に加え、太陽電池を備えるものであって、
前記太陽電池は、前記時計用部材の背面側に配されたものである請求項１２に記載の時計。
【発明の詳細な説明】
【技術分野】
【０００１】
本発明は、時計用部材、時計用文字板および時計に関する。
【背景技術】
【０００２】
時計用文字板には、実用品としての優れた視認性とともに、装飾品としての優れた美的外観が要求される。従来、このような目的を達成するために、一般に、時計用文字板の構成材料として、Ａｕ、Ａｇ等の金属材料を用いてきた（例えば、特許文献１参照）。また、合金を用いた色味の調整も行われているが、合金を用いた場合、表現することのできる範囲に限界があり、また、合金の組成によっては、耐食性の低下等の問題を生じることがあった。
また、時計用文字板には、着色剤（顔料、染料）が用いられることもあり、このような場合、複数種の材料の組み合わせが容易で、金属材料を用いた場合に比べて表現できる色調の範囲を広げることができるが、時計用文字板の高級感を十分に優れたものとすることが困難であった。
【先行技術文献】
【特許文献】
【０００３】
【特許文献１】特開２００８−１０２０１８号公報
【発明の概要】
【発明が解決しようとする課題】
【０００４】
本発明の目的は、長期間にわたって時計の外観を高級感に溢れ、優れたものとすることができる時計用部材、時計用文字板を提供すること、また、長期間にわたって高級感に溢れた優れた美的外観を呈することができる時計を提供することにある。
【課題を解決するための手段】
【０００５】
このような目的は下記の本発明により達成される。
本発明の時計用部材は、複数の層が平行に積層された構成を有し、前記層の面内の所定の方向Ｘについての屈折率が互いに異なる複数の前記層を含む偏光板を備え、
前記偏光板の少なくとも一方の面側には、複数の前記層にまたがって形成された溝が設けられていることを特徴とする。
これにより、長期間にわたって時計の外観を高級感に溢れ、優れたものとすることができる時計用部材を提供することができる。
【０００６】
本発明の時計用部材では、前記方向Ｘについての屈折率が互いに異なる前記複数の層は、前記偏光板の法線方向および前記Ｘに垂直な方向に対して垂直な方向Ｙについての光の屈折率が同一であることが好ましい。
これにより、時計用部材が適用される時計の美的外観を特に優れたものとすることができる。また、時計用部材をソーラー時計（太陽電池を備えた時計）に好適に適用することができる。
【０００７】
本発明の時計用部材では、前記偏光板は、６〜４０層の積層体であることが好ましい。
これにより、時計用部材が適用される時計が厚型化するのを効果的に防止しつつ、時計の美的外観を特に優れたものとすることができる。
本発明の時計用部材では、時計用部材の平均厚さは、３０〜３００μｍであることが好ましい。
これにより、時計用部材が適用される時計が厚型化するのを効果的に防止しつつ、時計の美的外観を特に優れたものとすることができる。
【０００８】
本発明の時計用部材では、前記溝の深さは、４〜２５μｍであることが好ましい。
これにより、時計用部材の耐久性を十分に優れたものとしつつ、時計用部材が適用される時計の美的外観を特に優れたものとすることができる。
本発明の時計用部材では、前記溝は、規則的に配されたものであり、その平均ピッチが１０〜２８μｍであることが好ましい。
これにより、時計用部材が適用される時計の美的外観を特に優れたものとすることができる。
【０００９】
本発明の時計用文字板は、本発明の時計用部材を備えたことを特徴とする。
これにより、長期間にわたって時計の外観を高級感に溢れ、優れたものとすることができる時計用文字板を提供することができる。
本発明の時計用文字板は、前記時計用部材に加え、前記時計用部材よりも観察者側に配される文字板本体を備えるものであることが好ましい。
これにより、時計用文字板が適用される時計の美的外観を確実に優れたものとすることができる。また、文字板本体の構成を変更することにより、時計全体としての高級感を十分に優れたものとしつつ、外観のバリエーションを広げることができる。
【００１０】
本発明の時計用文字板では、前記文字板本体は、少なくとも一方の面側に、顔料を含む材料で構成された顔料着色膜を有するものであることが好ましい。
これにより、時計用部材が適用される時計の美的外観を特に優れたものとすることができる。特に、高級感のある光沢を有し、かつ、従来の金属材料等では表現することができなかった優れた美的外観を得ることができる。
【００１１】
本発明の時計は、本発明の時計用部材を備えたことを特徴とする。
これにより、長期間にわたって高級感に溢れた優れた美的外観を呈することができる時計を提供することができる。
本発明の時計は、前記時計用部材に加え、太陽電池を備えるものであって、
前記太陽電池は、前記時計用部材の背面側に配されたものであることが好ましい。
太陽電池を備えた時計（ソーラー時計）においては、従来、太陽電池が時計全体としての外観に大きな影響を与え、高級感に溢れたものとするのが困難であった。また、時計のデザインにも大きな制約を与える要因になっていた。これに対し、本発明では、時計用部材の光透過性を十分に優れたものとしつつ、時計用部材の背面側の様子が観察者に認識されてしまうのを確実に防止することができる。すなわち、優れた光透過性と優れた美的外観（高級感）との両立を図ることができる。したがって、本発明の効果は、ソーラー時計（従来において高級感に溢れた外観を得るのが困難であったソーラー時計）に適用した場合に、より顕著に発揮される。
【００１２】
本発明の時計は、本発明の時計用文字板を備えたことを特徴とする。
これにより、長期間にわたって高級感に溢れた優れた美的外観を呈することができる時計を提供することができる。
本発明の時計は、前記時計用部材に加え、太陽電池を備えるものであって、
前記太陽電池は、前記時計用部材の背面側に配されたものであることが好ましい。
太陽電池を備えた時計（ソーラー時計）においては、従来、太陽電池が時計全体としての外観に大きな影響を与え、高級感に溢れたものとするのが困難であった。また、時計のデザインにも大きな制約を与える要因になっていた。これに対し、本発明では、時計用文字板の光透過性を十分に優れたものとしつつ、時計用文字板の背面側の様子が観察者に認識されてしまうのを確実に防止することができる。すなわち、優れた光透過性と優れた美的外観（高級感）との両立を図ることができる。したがって、本発明の効果は、ソーラー時計（従来において高級感に溢れた外観を得るのが困難であったソーラー時計）に適用した場合に、より顕著に発揮される。
【発明の効果】
【００１３】
本発明によれば、長期間にわたって時計の外観を高級感に溢れ、優れたものとすることができる時計用部材、時計用文字板を提供すること、また、長期間にわたって高級感に溢れた優れた美的外観を呈することができる時計を提供することができる。
【図面の簡単な説明】
【００１４】
【図１】本発明の時計用部材の好適な実施形態を示す断面図である。
【図２】偏光板が有する溝の配置パターンの例を模式的に示す平面図である。
【図３】偏光板が有する溝の配置パターンの例を模式的に示す平面図である。
【図４】偏光板が有する溝の配置パターンの例を模式的に示す平面図である。
【図５】偏光板が有する溝の配置パターンの例を模式的に示す平面図である。
【図６】偏光板が有する溝の配置パターンの例を模式的に示す平面図である。
【図７】本発明の時計用文字板の好適な実施形態を示す断面図である。
【図８】本発明の時計用文字板の他の好適な実施形態を示す断面図である。
【図９】本発明の時計（携帯時計）の好適な実施形態を示す部分断面図である。
【発明を実施するための形態】
【００１５】
以下、本発明の好適な実施形態について、添付図面を参照しつつ説明する。
＜時計用部材＞
まず、本発明の時計用部材の好適な実施形態について説明する。
図１は、本発明の時計用部材の好適な実施形態を示す断面図、図２〜図６は、偏光板が有する溝の配置パターンの例を模式的に示す平面図である。
【００１６】
図１に示すように、時計用部材２は、複数の層が平行に積層された構成を有し、前記層の面内の所定の方向Ｘ（図１中では、右方向）についての屈折率が互いに異なる複数の前記層を含む偏光板２１を備えている。特に、本実施形態では、偏光板２１は、方向Ｘについての屈折率が互いに異なる２種類の偏光性フィルム層（Ａ層２１１Ａ、Ｂ層２１１Ｂ）が交互に複数層積層された構成を有している。
【００１７】
このような偏光板２１においては、Ａ層２１１ＡのＸ軸方向（図１中では、右方向）の屈折率（ｎＡＸ）とＢ層２１１ＢのＸ軸方向の屈折率（ｎＢＸ）とは異なるが、Ａ層２１１ＡのＹ軸方向（図１中では、奥方向）の屈折率（ｎＡＹ）とＢ層２１１ＢのＹ軸方向の屈折率（ｎＢＹ）とは実質的に等しい。偏光板２１を構成するＡ層２１１ＡとＢ層２１１Ｂとがこのような関係を満足することにより、時計用部材２が適用される時計の美的外観を特に優れたものとすることができる。また、時計用部材２についての光の透過率を十分に優れたものとすることができるため、時計用部材２をソーラー時計（太陽電池を備えた時計）に好適に適用することができる。
【００１８】
偏光板２１に入射する光のうちＹ軸方向の直線偏光の光は、Ａ層２１１ＡとＢ層２１１Ｂとで屈折率が実質的に等しいので、偏光板２１を透過する。一方、Ａ層２１１ＡのＺ軸方向（図１中では、上方向）についての厚さをｔＡ［ｎｍ］、Ｂ層２１１ＢのＺ軸方向についての厚さをｔＢ［ｎｍ］としたとき、下記式（Ｉ）を満足することにより、波長λ［ｎｍ］の光であって偏光板２１に入射した光のうちＸ軸方向の直線偏光の光は、偏光板２１によって好適に反射されることとなる。
ｔＡ・ｎＡＸ＋ｔＢ・ｎＢＸ＝λ／２・・・（Ｉ）
【００１９】
そして、本実施形態では、Ａ層２１１ＡにおけるＺ軸方向の平均厚さおよびＢ層２１１ＢにおけるＺ軸方向の平均厚さを種々変化させているので、この偏光板２１は、可視波長領域の広範囲にわたって偏光板２１（時計用部材２）に入射した光のうちＸ軸方向の直線偏光の光を好適に反射することができ、後述する溝２１２を有することによる効果と相まって、時計用部材２そのものの美的外観を特に優れたものとすることができるとともに、時計用部材２が適用される時計全体としての美的外観も優れたものとすることができる。
【００２０】
偏光板２１は、いかなる材料で構成されたものであってもよいが、例えば、主としてポリエステル系樹脂で構成されたものとすることができる。これにより、時計用部材２および時計用部材２が適用される時計の美的外観を十分に優れたものとしつつ、時計用部材２の光の透過性を特に優れたものとすることができる。このため、時計用部材２をソーラー時計に好適に適用することができる。また、ポリエステル系樹脂は、電波の透過性に特に優れているため、このような材料で構成された偏光板２１を備える時計用部材２は、電波時計に好適に適用することができる。
【００２１】
特に、偏光板２１のＡ層２１１Ａは、ポリエチレンナフタレートで構成されたもの（特に、ポリエチレンナフタレートで構成されたフィルムを延伸したもの）であるのが好ましく、Ｂ層２１１Ｂは、ナフタレンジカルボン酸とテレフタル酸とのコポリエステルで構成されたものであるのが好ましい。これにより、時計用部材２および時計用部材２が適用される時計の美的外観を特に優れたものとしつつ、時計用部材２の光の透過性を特に優れたものとすることができる。このため、時計用部材２をソーラー時計により好適に適用することができる。
【００２２】
また、偏光板２１を構成する層２１１の数は、特に限定されないが、６〜４０層であるのが好ましく、７〜３０層であるのがより好ましく、８〜２０層であるのがさらに好ましい。これにより、時計用部材２が適用される時計が厚型化するのを効果的に防止しつつ、時計の美的外観を特に優れたものとすることができる。
また、時計用部材２は、偏光板２１を保持する機能を有する保持シート２２を、偏光板２１の溝２１２が設けられた面とは反対側の面に備えている。これにより、偏光板２１の厚さが比較的薄い場合であっても、時計用部材２の強度、形状の安定性を十分に優れたものとすることができる。
【００２３】
保持シート２２は、いかなる材料で構成されたものであってもよいが、偏光板２１の保持シート２２に接触する層２１１（図示の構成ではＡ層２１１Ａ）の、保持シート２２に対向する面とは反対側の面で接触する層２１１（図示の構成ではＢ層２１１Ｂ）と同一の材料で構成されたものであるのが好ましい。
時計用部材２の平均厚さ（溝２１２が設けられていない部位の平均厚さ）は、特に限定されないが、３０〜３００μｍであるのが好ましく、１００〜２００μｍであるのがより好ましい。時計用部材２の平均厚さが前記範囲内の値であると、時計用部材２が適用される時計が厚型化するのを効果的に防止しつつ、時計の美的外観を特に優れたものとすることができる。
【００２４】
また、偏光板２１の少なくとも一方の面には、偏光板２１を構成する複数の層２１１にまたがった溝２１２が設けられている。これにより、偏光板２１内部での光の進行の仕方（反射、屈折）が、偏光板２１の面内の各部位で異なるものとなり、時計用部材２は、きらきらした光沢感のある外観（きらきら感のある外観）を呈するものとなり、当該時計用部材２が適用される時計、時計用文字板を高級感に溢れ美的外観に優れたものとすることができる。また、偏光板２１が溝２１２を有することにより、時計用部材２全体としての光透過性を十分に優れたものとしつつ、時計用部材２の背面側の様子が観察者に認識されてしまうのを確実に防止し、美的外観を優れたものとすることができる。このため、本発明の時計用部材２は、一般に黒色等の濃色を呈する太陽電池（従来の時計においては、時計全体としての外観に大きな影響を与え、時計のデザインにも大きな制約を与える要因になっていた太陽電池）を備えたソーラー時計にも好適に適用することができる。
また、偏光板２１を構成する材料は、一般に、酸化等の影響を受けにくいため、長期間にわたって安定的に優れた外観を呈することができる。
【００２５】
溝２１２は、偏光板２１の厚さ方向に、複数の層２１１にまたがるように設けられたものであればよいが、３層以上にまたがって設けられたものであるのが好ましく、４層以上にまたがって設けられたものであるのがより好ましい。これにより、時計用部材２および時計用部材２が適用される時計、時計用文字板の美的外観を特に優れたものとすることができる。
【００２６】
溝２１２は、いかなる配置のものであってもよいが、偏光板２１を平面視した際に、規則的に配置されたものであるのが好ましい。これにより、時計用部材２の各部位（平面視した際の各部位）における、不本意な色むら等が発生するのを効果的に防止することができ、時計用部材２および時計用部材２が適用される時計、時計用文字板の美的外観を特に優れたものとすることができる。溝２１２の配置パターン（平面視多彩の配置パターン）としては、例えば、多数の溝２１２が渦巻状に配置されたパターン（図２参照）、溝２１２が同心円状に配置されたパターン（図３参照）、一次元方向に多数の溝２１２が配置されたパターン（図４参照）、二次元方向に多数の溝２１２が配置されたパターン（図５、図６参照）等が挙げられる。
【００２７】
溝２１２のピッチ（溝２１２の長手方向に垂直な方向についてのピッチ）Ｐは、特に限定されないが、１０〜２８μｍであるのが好ましく、２０〜２６μｍであるのがより好ましい。溝２１２のピッチＰが前記範囲内の値であると、時計用部材２および時計用部材２が適用される時計、時計用文字板の美的外観を特に優れたものとすることができる。
また、溝２１２の深さＤは、特に限定されないが、４〜２５μｍであるのが好ましく、８〜１３．５μｍであるのがより好ましい。溝２１２の深さＤが前記範囲内の値であると、時計用部材２および時計用部材２が適用される時計、時計用文字板の美的外観を特に優れたものとすることができる。また、溝２１２の深さＤが前記範囲内の値であると、時計用部材２全体としての光の透過率を特に高いものとすることができるため、時計用部材２をより好適にソーラー時計（太陽電池を備えた時計）に適用することができる。
【００２８】
また、図示の構成では、溝２１２の断面形状（溝２１２の長手方向に対して垂直な断面での形状）は、二等辺三角形状をなすものである。溝２１２の断面形状がこのようなものであると、時計用部材２および時計用部材２が適用される時計、時計用文字板の美的外観をさらに優れたものとすることができる。
溝２１２の頂点の角度（図中のθ）は、特に限定されないが、８０〜１１０°であるのが好ましい。これにより、時計用部材２および時計用部材２が適用される時計、時計用文字板の美的外観をさらに優れたものとすることができる。
【００２９】
本発明においては、偏光板の少なくとも一方の面に、上述したような溝が設けられていればよく、偏光板の両面に溝が設けられていてもよいが、一方の面のみに設けられているのが好ましい。これにより、時計用部材および当該時計用部材が適用される時計、時計用文字板の美的外観を十分に優れたものとしつつ、時計用部材についての光の透過率を特に優れたものとすることができるため、時計用部材をソーラー時計（太陽電池を備えた時計）により好適に適用することができる。なお、偏光板の両面に溝を設ける場合、各面での溝の条件（例えば、偏光板を平面視した際の溝の配置パターン、溝のピッチ・幅、溝の頂点の角度等）で同じであっても、異なっていてもよい。
【００３０】
図示の構成では、時計用部材２は、偏光板２１と、保持シート２２からなるものであるが、本発明の時計用部材は、偏光板（複数の層にまたがって設けられた溝を有する偏光板）のみからなるものであってもよいし、前記保持シート以外の構成を備えるものであってもよい。また、保持シートは、偏光板の溝が設けられた面側に設けられたものであってもよい。
【００３１】
＜時計用文字板＞
次に、本発明の時計用文字板の好適な実施形態について説明する。
図７は、本発明の時計用文字板の好適な実施形態を示す断面図である。以下、図７（後述する図８、図９も同様）中、上側が、観察者側であるものとして説明する。
図７に示すように、本実施形態の時計用文字板１は、上述したような時計用部材２と、文字板本体３と、時計用部材２および文字板本体３を接合する接合層４とを有している。このように時計用部材２に加えて文字板本体３を備えることにより、時計用文字板１が適用される時計の美的外観を確実に優れたものとすることができる。また、文字板本体３の構成を変更することにより、時計全体としての高級感を十分に優れたものとしつつ、外観のバリエーションを広げることができる。また、時計用文字板１の形状の安定性、強度を優れたものとすることができる。
【００３２】
本実施形態では、文字板本体３は、光透過性を有する材料で構成された基板（基材）３１と、基板３１の一方の面側（時計用部材２に対向する面側であって、観察者側の面とは反対側の面側）に設けられた、顔料を含む材料で構成された顔料着色膜３２とを有している。文字板本体３がこのような構成を有することにより、時計用部材２が適用される時計の美的外観を特に優れたものとすることができる。特に、高級感のある光沢を有し、かつ、従来の金属材料等では表現することができなかった優れた美的外観を得ることができる。
【００３３】
［基板］
基板３１は、光透過性を有する材料で構成されたものである。本発明において、「光透過性を有する」とは、可視光領域（３８０〜７８０ｎｍの波長領域）の光の少なくとも一部を透過する性質を有することを指し、好ましくは可視光領域の光の透過率が５０％以上であり、より好ましくは可視光領域の光の透過率が６０％以上である。このように基板３１についての光透過性が十分に優れたものであると、前述した時計用部材２、後述する顔料着色膜３２の機能をより効果的に発揮させることができ、時計用文字板１の美的外観を特に優れたものとすることができる。このような光の透過率は、例えば、光源として、白色蛍光灯（東芝社製、検査用蛍光灯  ＦＬ２０Ｓ−Ｄ６５）を用い、１０００ルクス下で、測定対象の基板（または時計用文字板等の対応する部材）と同一形状のソーラーセル（太陽電池）で発電した際の電流値（Ｘ）に対する、当該ソーラーセルの光源側の面に測定対象である基板（または時計用文字板等の対応する部材）を載せた以外は、前記と同一の状態で発電した際の電流値（Ｙ）の比率（（Ｙ／Ｘ）×１００［％］）を、採用することができる。以下、本明細書中において、特に断りのない限り、「光の透過率」とは、このような条件で求められる値のことを指す。
【００３４】
基板３１を構成する材料としては、例えば、各種プラスチック材料、各種ガラス材料等が挙げられるが、基板３１は、主としてプラスチック材料で構成されたものであるのが好ましい。プラスチック材料は、一般に、成形性（成形の自由度）に優れており、種々の形状の時計用文字板１の製造に好適に適用することができる。また、基板３１がプラスチック材料で構成されたものであると、時計用文字板１の製造コスト低減に有利である。また、プラスチック材料は、一般に、電波の透過性にも優れているため、基板３１がプラスチック材料で構成されたものであると、時計用文字板１を電波時計に好適に適用することができる。以下の説明では、基板３１が主としてプラスチック材料で構成された例を、中心に説明する。なお、本発明では、「主として」とは、対象としている部位（部材）を構成する材料のうち最も含有量の多い成分を指し、その含有量は特に限定されないが、対象としている部位（部材）を構成する材料の６０ｗｔ％以上であることが好ましく、８０ｗｔ％以上であることがより好ましく、９０ｗｔ％以上であることがさらに好ましい。
【００３５】
基板３１を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、基板３１は、主として、ポリカーボネートおよび／またはアクリロニトリル−ブタジエン−スチレン共重合体で構成されたものであるのが好ましい。これにより、時計用文字板１全体としての強度を特に優れたものとすることができる。また、基板３１の成形の自由度が増す（成形のし易さが向上する）ため、より複雑な形状の時計用文字板１であっても、容易かつ確実に製造することができる。また、ポリカーボネートは、各種プラスチック材料の中でも比較的安価で、時計用文字板１の生産コストのさらなる低減に寄与することができる。また、ＡＢＳ樹脂は、特に優れた耐薬品性も有しており、時計用文字板１全体としての耐久性をさらに向上されることができる。
【００３６】
また、上記のようなプラスチック材料は、いずれも、電波の透過性に特に優れているため、このような材料で構成された基板３１を備える時計用文字板１は、電波時計により好適に適用することができる。
なお、基板３１は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。
【００３７】
基板３１は、各部位でその組成が実質的に均一な組成を有するものであってもよいし、部位によって組成の異なるものであってもよい。
また、基板３１の形状、大きさは、特に限定されず、通常、製造すべき時計用文字板１の形状、大きさに基づいて決定される。なお、図示の構成では、基板（基材）２は、平板状をなすものであるが、例えば、湾曲板状等をなすものであってもよい。
【００３８】
基板３１の平均厚さは、特に限定されないが、１００〜７００μｍであるのが好ましく、１５０〜６００μｍであるのがより好ましく、２００〜５００μｍであるのがさらに好ましい。基板３１の平均厚さが前記範囲内の値であると、時計用文字板１が適用される時計が、厚型化するのを効果的に防止しつつ、時計用文字板１の機械的強度、形状の安定性等を十分に優れたものとすることができる。
また、基板３１は、いかなる方法で成形されたものであってもよいが、基板３１の成形方法としては、例えば、圧縮成形、押出成形、射出成形、光造形等が挙げられる。
【００３９】
［顔料着色膜］
基板３１の時計用部材２に対向する面側（観察者側の面とは反対側の面側）には、顔料を含む材料で構成された顔料着色膜３２が設けられている。
顔料着色膜３２の色調は、特に限定されないが、白色、クリーム色、水色、ピンク色であるのが好ましい。これにより、従来表現することが困難であった色調で、優れた美的外観を有する時計用文字板１が得られる。すなわち、顔料着色膜３２の色調が前記のようなものであると、顔料着色膜、および、上述した時計用部材を備えることにより得られる効果がより顕著に発揮される。
【００４０】
顔料着色膜３２は、顔料以外の成分を含むものであってもよい。このような成分としては、例えば、各種樹脂成分、可塑剤、酸化防止剤、着色剤（各種発色剤、蛍光物質、りん光物質等を含む）、光沢剤、フィラー等が挙げられる。特に、顔料着色膜３２が樹脂成分を含む材料で構成されたものであると、顔料着色膜３２の基板３１に対する密着性、時計用文字板１の耐久性を特に優れたものとすることができる。
【００４１】
また、顔料着色膜３２は、含有する顔料に対応する色の光を反射する機能を有するとともに、光透過性を有している。これにより、前述した時計用部材２の効果を確実に発揮させることができる。
また、顔料着色膜３２を構成する顔料は、一般に、電波の透過性に優れているため、このような材料で構成された顔料着色膜３２を備える時計用文字板１は、電波時計に好適に適用することができる。
【００４２】
顔料着色膜３２の平均厚さは、特に限定されないが、１〜５０μｍであるのが好ましく、２〜４０μｍであるのがより好ましく、３〜３０μｍであるのがさらに好ましい。これにより、時計用文字板１の美的外観を特に優れたものとすることができる。
また、顔料着色膜３２中における顔料の含有率は、特に限定されないが、０．５〜１０．０ｗｔ％であるのが好ましく、１．０〜８．０ｗｔ％であるのがより好ましい。これにより、時計用文字板１の美的外観を特に優れたものとすることができるとともに、顔料着色膜３２の基板３１に対する密着性、時計用文字板１の耐久性を特に優れたものとする。
顔料着色膜３２は、その全体にわたって均一な組成を有するものであってもよいし、各部位で組成の異なるものであってもよい。例えば、顔料着色膜３２は、厚さ方向に異なる組成を有する複数の層を備えた積層体で構成されたものであってもよいし、厚さ方向に組成が傾斜的に変化する傾斜材料で構成されたものであってもよい。
【００４３】
［接合層］
本実施形態の時計用文字板１においては、上述したような文字板本体３と時計用部材２とは、接合層４によって接合されている。これにより、時計用文字板１の機械的強度、形状の安定性等を特に優れたものとすることができる。
また、本実施形態では、接合層４は、文字板本体３、時計用部材２の周縁部付近にのみ選択的に設けられている。これにより、時計用文字板１の大部分において、文字板本体３と時計用部材２との間に空気層を確保することができ、時計用文字板１の美的外観を特に優れたものとすることができる。なお、時計用文字板１を平面視した際に、接合層４が設けられている領域の占めるの割合は、１０％以下であるのが好ましく、５％以下であるのがより好ましい。これにより、上記のような効果がより顕著に発揮される。
【００４４】
また、本実施形態では、時計用部材２は、溝２１２が設けられた面側において、接合層４を介して文字板本体３と接合している。これにより、アンカー効果が発揮され、文字板本体３と時計用部材２との接合強度（接合層４を介した接合強度）を特に優れたものとすることができ、時計用文字板１の耐久性を特に優れたものとすることができる。
接合層４の構成材料としては、各種接着剤、粘着剤等を用いることができる。また、接合層４形成用の組成物中には、所定の厚さ（高さ）のスペーサーを含んでいてもよい。これにより、文字板本体３と時計用部材２との距離を文字板本体３、時計用部材２の面方向全体にわたって、均一なものとすることができ、時計用文字板１の美的外観を特に優れたものとすることができる。
図８は、本発明の時計用文字板の他の好適な実施形態を示す断面図である。
図８に示すように、本発明の時計用文字板１は、文字板本体３と時計用部材２とが分離したものであってもよい。
【００４５】
＜時計＞
次に、上述したような本発明の時計用部材、時計用文字板を備えた本発明の時計について説明する。
本発明の時計は、上述したような本発明の時計用部材、時計用文字板を有するものである。上述したように、本発明の時計用部材、時計用文字板は、光透過性および装飾性（美的外観）に優れたものである。このため、このような時計用文字板を備えた本発明の時計は、ソーラー時計としての求められる要件を十分に満足することができる。なお、本発明の時計を構成する時計用部材、時計用文字板（本発明の時計用部材、時計用文字板）以外の部品としては、公知のものを用いることができるが、以下に、本発明の時計の構成の一例について説明する。
【００４６】
図９は、本発明の時計（腕時計）の好適な実施形態を示す部分断面図である。
図９に示すように、本実施形態の腕時計（携帯時計）１００は、胴（ケース）８２と、裏蓋８３と、ベゼル（縁）８４と、ガラス板（カバーガラス）８５とを備えている。また、ケース８２内には、前述したような本発明の時計用文字板１と、太陽電池９４と、ムーブメント８１とが収納されており、さらに、図示しない針（指針）等が収納されている。時計用文字板１（時計用部材２）は、太陽電池９４と、ガラス板（カバーガラス）８５との間に設けられており、文字板本体３が、ガラス板（カバーガラス）８５側を向くように配置されている。すなわち、時計用部材２は、観察者側から見て文字板本体３の背面側に配されている。上述したように、本発明の時計用文字板１（時計用部材２）は、光透過性に優れるとともに、美的外観に優れ、背面側の様子が観察者に認識されるのを防止する効果に優れている。このため、腕時計１００において、時計用文字板１の背面に配された太陽電池９４が観察者（使用者等）に認識され、それにより腕時計１００全体としての外観に悪影響を及ぼすことが防止されている。
ガラス板８５は、通常、透明性の高い透明ガラスやサファイア等で構成されている。これにより、本発明の時計用文字板１の審美性を十分に発揮させることができるとともに、太陽電池９４に十分な光量の光を入射させることができる。
ムーブメント８１は、太陽電池９４の起電力を利用して、指針を駆動する。
【００４７】
図９中では省略しているが、ムーブメント８１内には、例えば、太陽電池９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
【００４８】
また、ムーブメント８１は、図示しない電波受信用のアンテナを備えている。そして、受信した電波を用いて時刻調整等を行う機能を有している。
太陽電池９４は、光エネルギーを電気エネルギーに変換する機能を有する。そして、太陽電池９４で変換された電気エネルギーは、ムーブメントの駆動等に利用される。
太陽電池９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００４９】
胴８２には巻真パイプ８６が嵌入・固定され、この巻真パイプ８６内にはりゅうず８７の軸部８７１が回転可能に挿入されている。
胴８２とベゼル８４とは、プラスチックパッキン８８により固定され、ベゼル８４とガラス板８５とはプラスチックパッキン８９により固定されている。
また、胴８２に対し裏蓋８３が嵌合（または螺合）されており、これらの接合部（シール部）９３には、リング状のゴムパッキン（裏蓋パッキン）９２が圧縮状態で介挿されている。この構成によりシール部９３が液密に封止され、防水機能が得られる。
【００５０】
りゅうず８７の軸部８７１の途中の外周には溝８７２が形成され、この溝８７２内にはリング状のゴムパッキン（りゅうずパッキン）９１が嵌合されている。ゴムパッキン９１は巻真パイプ８６の内周面に密着し、該内周面と溝８７２の内面との間で圧縮される。この構成により、りゅうず８７と巻真パイプ８６との間が液密に封止され防水機能が得られる。なお、りゅうず８７を回転操作したとき、ゴムパッキン９１は軸部８７１と共に回転し、巻真パイプ８６の内周面に密着しながら周方向に摺動する。
【００５１】
上記のような携帯時計（腕時計）は、各種時計の中でも特に優れた耐久性（例えば、耐衝撃性等）が求められるものであるため、優れた美的外観とともに、優れた耐久性が得られる本発明を、より好適に適用することができる。
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。
【００５２】
以上、本発明の好適な実施形態について説明したが、本発明は上記のようなものに限定されるものではない。
例えば、本発明の時計用部材、時計用文字板、時計では、各部の構成は、同様の機能を発揮する任意の構成のものに置換することができ、また、任意の構成を付加することもできる。例えば、各種印刷法により形成された印刷部を有するものであってもよい。また、時計用文字板の表面（文字板本体の表面）には、少なくとも１つの層が設けられていてもよい。このような層は、例えば、時計用文字板の使用時等において除去されるものであってもよい。
【００５３】
また、前述した実施形態では、時計用部材は、一方の面の全体に、溝が設けられたものとして説明したが、溝は、時計用部材の面の一部にのみ設けられたものであってもよい。
また、前述した実施形態（図７に示す形態）では、接合層は、文字板本体、時計用部材の周縁部付近に選択的に設けられたものとして説明したが、接合層は、文字板本体、時計用部材の全面に設けられたものであってもよい。
【００５４】
また、前述した実施形態では、文字板本体と時計用部材とが平面視した際の形状が同一であり、時計用文字板を平面視した際に、文字板本体と時計用部材とが完全に重なり合うように配置されている構成について説明したが、文字板本体と時計用部材とは、このように配置されたものでなくてもよい。例えば、時計用部材は、時計用文字板を平面視した際に、文字板本体の一部にのみ重なり合うようなものであってもよい。
【００５５】
また、本発明の時計用部材は、文字板本体よりも観察者側に配されるものであってもよい。
また、時計用部材は、溝の設けられた面が観察者とは反対側を向くように配されたものであってもよい。
また、本発明の時計用部材は、時計用文字板を構成する部材でなくてもよい。
【実施例】
【００５６】
次に、本発明の具体的実施例について説明する。
１．時計用文字板の製造
以下に示すような方法で、各実施例および比較例について、１００個ずつの時計用文字板（腕時計用文字板）を製造した。
（実施例１）
まず、６枚のポリエチレンナフタレートで構成されたシート材、および、６枚のナフタレンジカルボン酸とテレフタル酸とのコポリエステルで構成されたシート材を用意し、一軸方向に延伸した。この際、各シート材（１２枚のシート材）で延伸率を異なるものとした。その後、これらの延伸されたシート材を交互に配置に重ね合わせるとともに、ナフタレンジカルボン酸とテレフタル酸とのコポリエステルで構成されたシート材（保持シート）と重ねあわせた状態で融着し、その後、直径：２７ｍｍの略円盤状となるように、打ち抜きした。これにより、ポリエチレンナフタレートで構成されたＡ層と、ナフタレンジカルボン酸とテレフタル酸とのコポリエステルで構成されたＢ層とが、交互に配された積層体（６層のＡ層と、６層のＢ層とからなる積層体）としての偏光板が、ナフタレンジカルボン酸とテレフタル酸とのコポリエステルで構成された保持シートに接合した時計用部材が得られた。得られた時計用部材は、保持シートがＡ層に接合したものであった。また、得られた時計用部材の平均厚さは、２００μｍであった。
次に、偏光板のＢ層が露出した側の面に、機械加工を施すことにより、図２に示すような渦巻状の溝を形成することにより、時計用部材を得た。形成された溝のピッチは２５μｍ、溝の深さは１２．５μｍであった。また、溝の断面形状は二等辺三角形状をなすものであり、その頂点の角度（溝の底部の角度、図１中のθ）は、９０°であった。
【００５７】
一方、以下のようにして文字板本体を作製した。
すなわち、まず、ポリカーボネート製の平板（厚さ：３００μｍ）を用意した。次に、この平板（母材）を型抜きし、不要なバリ等を切削、研磨することにより基板を得た。得られた基板は、略円盤状をなし、直径：２７ｍｍ×厚さ：５００μｍであった。
次に、この基板を洗浄した。基板の洗浄としては、まず、プラスチック用中性洗剤で３０秒間洗浄を行い、その後、中和を１０秒間、水洗を３０秒間、純水洗浄を６０秒間行った。その後、オーブン（８０℃）で２０分間乾燥した。
【００５８】
このようにして洗浄を行った基板の一方の表面に、刷毛塗りにより塗料を付与し、その後溶剤を除去することにより顔料着色膜を形成し、文字板本体を得た。塗料としては、顔料としてのＣ．Ｉ．ピグメントホワイト１１およびＣ．Ｉ．ピグメントレッド２５４と、樹脂成分としてのポリウレタン系樹脂と、溶剤（顔料を分散する分散媒、ポリウレタン系樹脂を溶解する溶媒）としてのシクロヘキサンとを含むものを用いた。形成された顔料着色膜の平均厚さは、１０μｍであった。また、顔料着色膜中における顔料の含有率は、１．５ｗｔ％であった。
【００５９】
次に、粘着材で構成された粘着シート（接合層）を用いて、文字板本体の顔料着色膜が設けられた面と偏光板の溝が設けられた面とを接合し、図７に示すような時計用文字板を得た。なお、粘着シートとしては、外径：２７ｍｍ、内径：２５ｍｍ、幅：２ｍｍ、厚さ：１０μｍのリング状をなすものを用い、文字板本体、偏光板の周縁部付近にのみ選択的に配した。
なお、偏光板、基板、顔料着色膜等の厚さは、ＪＩＳ  Ｈ  ５８２１で規定される顕微鏡断面試験方法に従い測定した。
【００６０】
（実施例２〜１０）
時計用文字板の構成が表１に示すようになるようにした以外は、前記実施例１と同様にして時計用文字板を製造した。
【００６１】
（比較例１）
前記実施例１で述べたと同様にして作製した文字板本体を、粘着シートを介して偏光板と接合することなくそのまま時計用文字板として用いた以外は、前記実施例１と同様にして時計用文字板を製造した。すなわち、本比較例の時計用文字板は、ポリカーボネートで構成された基板と顔料着色膜とからなるものである。
【００６２】
（比較例２）
文字板本体に接合する偏光板として、溝部が設けられていないものを用いた以外は、前記実施例１と同様にして時計用文字板を製造した。
（比較例３）
基板上に、顔料着色膜を形成する代わりに、Ａｕ−Ｃｕ合金（Ａｕ：７５ｗｔ％、Ｃｕ：２５ｗｔ％）で構成された合金膜を、気相成膜法により形成した以外は、前記比較例１と同様にして時計用文字板を製造した。
【００６３】
各実施例および各比較例の時計用文字板の構成を表１にまとめて示す。なお、表１中、ポリカーボネートをＰＣ、アクリロニトリル−ブタジエン−スチレン共重合体（ＡＢＳ樹脂）をＡＢＳ、アクリル系樹脂をＡｃ、またポリエチレンテレフタレートをＰＥＴ、Ｃ．Ｉ．ピグメントホワイト１１をＰＷ１１、Ｃ．Ｉ．ピグメントレッド２５４をＰＲ２５４、Ｃ．Ｉ．ピグメントブルー１５をＰＢ１５、Ｃ．Ｉ．ピグメントグリーン３６をＰＧ３６、Ｃ．Ｉ．ピグメントイエロー１５０をＰＹ１５０で、それぞれ示した。なお、表１中、「溝の配置パターン」の欄には、図２に示すように、多数の溝が渦巻状に配置されたパターンを「ａ」で示し、図３に示すように、溝が同心円状に配置されたパターンを「ｂ」で示し、図４に示すように、一次元方向に多数の溝が配置されたパターンを「ｃ」で示した。また、表１中、文字板本体の「偏光板に対向する面」の欄には、文字板本体の顔料着色膜が設けられた面側が偏光板に対向する場合には、「顔料着色膜」と示し、文字板本体の基板が設けられた面側が偏光板に対向する場合には、「基板」と示した。また、表１中、偏光板の「文字板本体に対向する面」の欄には、偏光板の溝が設けられた面側が文字板本体に対向する場合には、「溝形成面」と示し、偏光板の溝が設けられた面とは反対の面側が文字板本体に対向する場合には、「非溝形成面」と示した。また、比較例３については、合金膜の条件を「顔料着色膜」の欄に示した。また、前記各実施例で作製した時計用部材は、いずれも、複数の層（４層以上）にまたがって形成された溝を有するものであった。また、前記各実施例および各比較例の時計用文字板の各部位における表１中に示す材料の含有率は、いずれも、９９．９ｗｔ％以上であった。
【００６４】
【表１】
2010210343.tif 000003
【００６５】
２．腕時計用文字板の外観評価
前記各実施例および各比較例で製造した各腕時計用文字板について、目視による観察を行い、これらの外観を以下の６段階の基準に従い、評価した。なお、目視による観察は、前記各実施例および比較例２については、文字板本体側から行い、前記比較例１については、顔料着色膜が設けられた面とは反対の面側から行い、前記比較例３については、合金膜が設けられた面とは反対の面側から行った。
【００６６】
Ａ：高級感があり、極めて優れた外観を有している。
Ｂ：高級感があり、非常に優れた外観を有している。
Ｃ：優れた外観を有している。
Ｄ：良好な外観を有している。
Ｅ：外観がやや不良。
Ｆ：外観が不良。
【００６７】
３．腕時計用文字板の耐久性評価（熱サイクル試験）
各腕時計用文字板を、以下のような熱サイクル試験に供した。
まず、腕時計用文字板を、１５℃の環境下に１．５時間、次いで、湿度：７０％、温度：６５℃の環境下に２時間、次いで、１５℃の環境下に１．５時間、次いで、−２５℃の環境下に３時間静置した。その後、再び、環境温度を１５℃に戻し、これを１サイクル（８時間）とし、このサイクルを合計５回繰り返した（合計４０時間）。
【００６８】
その後、腕時計用文字板の外観を目視により観察し、これらの外観を以下の５段階の基準に従い、評価した。
Ａ：美的外観（高級感）の低下がまったく認められない。
Ｂ：美的外観（高級感）の低下がほとんど認められない。
Ｃ：美的外観（高級感）の低下がわずかに認められる。
Ｄ：美的外観（高級感）の低下がはっきりと認められる。
Ｅ：美的外観（高級感）の低下が顕著に認められる。
【００６９】
４．腕時計用文字板の光透過性評価
前記各実施例および各比較例で製造した各腕時計用文字板について、以下のような方法により、光透過性を評価した。
まず、太陽電池と各腕時計用文字板とを暗室にいれた。その後、太陽電池単体でその受光面に対し、所定距離離間した白色蛍光灯（光源）からの光を入射させた。この際、太陽電池の発電電流をＡ［ｍＡ］とした。次に、前記太陽電池の受光面の上面に、腕時計用文字板を重ね合わせた状態で、前記と同様に所定距離離間した白色蛍光灯（光源）からの光を入射させた。この状態での、太陽電池の発電電流をＢ［ｍＡ］とした。そして、（Ｂ／Ａ）×１００で表される時計用文字板の光透過率を算出し、以下の４段階の基準に従い、評価した。光透過率が大きいほど、時計用文字板の光透過性は優れたものであるといえる。なお、前記各実施例および比較例２については、文字板本体が白色蛍光灯（光源）側を向くように太陽電池に重ね合わせ、前記比較例１については、顔料着色膜が設けられた面とは反対の面が白色蛍光灯（光源）側を向くように太陽電池に重ね合わせ、前記比較例３については、合金膜が設けられた面とは反対の面が白色蛍光灯（光源）側を向くように太陽電池に重ね合わせた。また、白色蛍光灯としては、白色蛍光灯（東芝社製、検査用蛍光灯  ＦＬ２０Ｓ−Ｄ６５）を用いた。
Ａ：２１％以上。
Ｂ：１６％以上２１％未満。
Ｃ：１１％以上１６％未満。
Ｄ：１１％未満。
【００７０】
５．電波透過性の評価
前記各実施例および各比較例で製造した各時計用文字板について、以下に示すような方法で電波透過性を評価した。
まず、時計ケースと、電波受信用のアンテナを備えた腕時計用内部モジュール（ムーブメント）とを用意した。
【００７１】
次に、時計ケース内に、腕時計用内部モジュール（ムーブメント）および、腕時計用文字板を組み込み、この状態での電波の受信感度を測定した。このとき、前記各実施例および比較例２については、文字板本体が外表面を向くようにし、前記比較例１については、顔料着色膜が設けられた面とは反対の面が外表面を向くようにし、前記比較例３については、合金膜が設けられた面とは反対の面が外表面を向くようにした。
【００７２】
腕時計用文字板を組み込まない状態での受信感度を基準とし、腕時計用文字板を組み込んだ場合における受信感度の低下量（ｄＢ）を以下の４段階の基準に従い、評価した。電波の受信感度の低下が低いものほど、腕時計用文字板の電波透過性は優れたものであるといえる。
Ａ：感度の低下が認められない（検出限界以下）。
Ｂ：感度の低下が０．７ｄＢ未満で認められる。
Ｃ：感度の低下が０．７ｄＢ以上１．０ｄＢ未満。
Ｄ：感度の低下が１．０ｄＢ以上。
これらの結果を表２に示す。
【００７３】
【表２】
2010210343.tif 000004
【００７４】
表２から明らかなように、本発明の時計用文字板は、いずれも優れた美的外観（高級感に溢れた光沢を呈する美的外観）を有するとともに、耐久性に優れていた。また、本発明の時計用文字板は、電磁波（光、電波）の透過性にも優れていた。このことから、本発明の時計用文字板は、ソーラー時計、電波時計に好適に適用することができるものであることがわかる。
これに対し、比較例では、満足な結果が得られなかった。
また、各実施例および比較例で得られた時計用文字板を用いて、図９に示すような時計を組み立てた。このようにして得られた各時計について、上記と同様の試験、評価を行ったところ、上記と同様の結果が得られた。
【符号の説明】
【００７５】
１…時計用文字板  ２…時計用部材  ２１…偏光板  ２１１…偏光性フィルム層（層）  ２１１Ａ…Ａ層  ２１１Ｂ…Ｂ層  ２１２…溝  ２２…保持シート  ３…文字板本体  ３１…基板（基材）  ３２…顔料着色膜  ４…接合層  ９４…太陽電池  ８１…ムーブメント  ８２…胴（ケース）  ８３…裏蓋  ８４…ベゼル（縁）  ８５…ガラス板（カバーガラス）  ８６…巻真パイプ  ８７…りゅうず  ８７１…軸部  ８７２…溝  ８８…プラスチックパッキン  ８９…プラスチックパッキン  ９１…ゴムパッキン（りゅうずパッキン）  ９２…ゴムパッキン（裏蓋パッキン）  ９３…接合部（シール部）  １００…腕時計（携帯時計）
【図１】
2010210343.tif 000005
【図２】
2010210343.tif 000006
【図３】
2010210343.tif 000007
【図４】
2010210343.tif 000008
【図５】
2010210343.tif 000009
【図６】
2010210343.tif 000010
【図７】
2010210343.tif 000011
【図８】
2010210343.tif 000012
【図９】
2010210343.tif 000013